(57)【要約】【課題】フレームに二重壁が設けられた電気接続箱において、防水性能を低下させることなく、成形金型の離型性を向上させることができる電気接続箱を提供する。【解決手段】電気接続箱１Ａは、フレーム３と、フレーム３内に収容されるブロック６Ａと、を備えている。フレーム３は、外壁３１と内壁３２とから成る二重壁３０を有している。二重壁３０とブロック６Ａの部品収容部６０との対向箇所においては、内壁３２の下端３２ｂが部品収容部６０の下端６０ｂ側の部品挿入面６１よりも上に位置付けられ、部品収容部６０の下端部かつ二重壁３０側の外縁部に防水壁７が設けられている。防水壁７は、部品収容部６０の下端部かつ二重壁３０側の外縁部から外壁３１側に真横に延びた第１防水壁１１と、第１防水壁１１の外壁３１側の端から外壁３１と平行かつ下方に延びた第２防水壁１２と、で構成されている。【選択図】図２
2014158385.tif 000002
【特許請求の範囲】
【請求項１】
フレームと、前記フレーム内に収容されるブロックと、を備え、
前記フレームが、外壁と、前記外壁との間に間隔をあけた内壁と、から成る二重壁を有し、
前記ブロックが、部品収容部を１つ以上有する
電気接続箱であって、
前記二重壁と少なくとも１つの前記部品収容部との対向箇所においては、
前記内壁の下端が、対向した部品収容部の少なくとも上端まで延びかつ該対向した部品収容部の下端側の部品挿入面よりも上に位置付けられ、
前記対向した部品収容部の下端部かつ前記二重壁側の外縁部に、前記外壁に近付く方向又は前記部品挿入面より下まで延びた防水壁が設けられている
ことを特徴とする電気接続箱。
【請求項２】
前記防水壁が、前記対向した部品収容部の下端部かつ前記二重壁側の外縁部から前記外壁に近付く方向に延びた第１防水壁と、前記第１防水壁の前記外壁側の端から前記外壁と平行かつ下方に延びた第２防水壁と、で構成されている
ことを特徴とする請求項１に記載の電気接続箱。
【請求項３】
前記対向した部品収容部の一部が前記部品挿入面より下まで延びており、
前記防水壁が、前記部品挿入面より下側の部分で構成されている
ことを特徴とする請求項１に記載の電気接続箱。
【発明の詳細な説明】
【技術分野】
【０００１】
本発明は、自動車に搭載される電気接続箱に関するものである。
【背景技術】
【０００２】
自動車に搭載される電気接続箱には様々な構造のものがあるが、例えば、図７に示す電気接続箱３０１のように、フレーム３０３と、フレーム３０３内に収容されるブロック３０６と、を備え、フレーム３０３に防水構造として二重壁３３０が設けられた構造のものがある（例えば特許文献１を参照。）。
【０００３】
上記電気接続箱３０１の構造をさらに詳しく説明する。電気接続箱３０１は、上記フレーム３０３と、上記ブロック３０６と、ブロック３０６に取り付けられるリレー、ヒューズ、バスバ、端子付き電線等の複数の部品（図７においてはこれら複数の部品の図示を省略している。）と、フレーム３０３の上端側に取り付けられるアッパカバー３０４と、フレーム３０３の下端側に取り付けられるロアカバー３０５と、を備えている。これらフレーム３０３、ブロック３０６、アッパカバー３０４及びロアカバー３０５は、合成樹脂で構成されている。
【０００４】
上記フレーム３０３は、上述したように、防水構造として二重壁３３０を有している。二重壁３３０は、外壁３３１と、外壁３３１との間に間隔をあけた内壁３３２と、で構成されている。図７中の矢印Ｄで示すように、フレーム３０３とアッパカバー３０４との合わせ部から浸入した水は、外壁３３１と内壁３３２との間を通ってロアカバー３０５の図示しない排水孔から外部に排水される。
【０００５】
上記ブロック３０６は、上述した部品が取り付けられる部品収容部を複数有している。また、図７に示すように、二重壁３３０と対向する位置に配置された部品収容部３６０は、上端側すなわちアッパカバー３０４側の部分に複数のヒューズを収容し、下端側すなわちロアカバー３０５側の部分に複数の端子付き電線とバスバを収容する。また、前記端子付き電線は、端子部分が部品収容部３６０内に収容され、電線部分が部品収容部３６０外に導出される。
【０００６】
さらに、上記二重壁３３０と上記部品収容部３６０との対向箇所においては、外壁３３１と内壁３３２との間を通った水がヒューズや電線の端子近傍部分にかかることを避けるために、内壁３３２の下端３３２ｂが、対向した部品収容部３６０の下端側の部品挿入面３６１よりも下まで延びている。また、「部品収容部３６０の下端側の部品挿入面３６１」とは、上記端子付き電線や上記バスバを収容するキャビティが開口した面である。
【先行技術文献】
【特許文献】
【０００７】
【特許文献１】特開２０１２−５５１０８号公報
【発明の概要】
【発明が解決しようとする課題】
【０００８】
上述した従来の電気接続箱３０１においては、上述したように、内壁３３２を部品挿入面３６１よりも下まで延ばす必要があったことから、外壁３３１と内壁３３２との間の空間が上下方向に長くなると共に当該部分を形成する成形金型の駒が細長くなり、そのために、離型性が悪いという問題があった。なお、離型性が悪いと、成形金型を外して製品を取り出す際に製品に変形が生じ易くなり好ましくない。
【０００９】
したがって、本発明は、フレームに二重壁が設けられた電気接続箱において、防水性能を低下させることなく、成形金型の離型性を向上させることができる電気接続箱を提供することを目的とする。
【課題を解決するための手段】
【００１０】
上記目的を達成するために請求項１に記載された発明は、フレームと、前記フレーム内に収容されるブロックと、を備え、前記フレームが、外壁と、前記外壁との間に間隔をあけた内壁と、から成る二重壁を有し、前記ブロックが、部品収容部を１つ以上有する電気接続箱であって、前記二重壁と少なくとも１つの前記部品収容部との対向箇所においては、前記内壁の下端が、対向した部品収容部の少なくとも上端まで延びかつ該対向した部品収容部の下端側の部品挿入面よりも上に位置付けられ、前記対向した部品収容部の下端部かつ前記二重壁側の外縁部に、前記外壁に近付く方向又は前記部品挿入面より下まで延びた防水壁が設けられていることを特徴とする電気接続箱である。
【００１１】
請求項２に記載された発明は、請求項１に記載された発明において、前記防水壁が、前記対向した部品収容部の下端部かつ前記二重壁側の外縁部から前記外壁に近付く方向に延びた第１防水壁と、前記第１防水壁の前記外壁側の端から前記外壁と平行かつ下方に延びた第２防水壁と、で構成されていることを特徴とするものである。
【００１２】
請求項３に記載された発明は、請求項１に記載された発明において、前記対向した部品収容部の一部が前記部品挿入面より下まで延びており、前記防水壁が、前記部品挿入面より下側の部分で構成されていることを特徴とするものである。
【発明の効果】
【００１３】
請求項１〜３に記載された発明によれば、内壁の下端が部品収容部の下端側の部品挿入面よりも上に位置付けられていても、防水壁が設けられていることにより、外壁と内壁との間を通った水が部品収容部に取り付けられた部品にかかることを防止できる。そして、外壁と内壁との間の空間を上下方向に短くすることができることから、当該部分を形成する成形金型の駒を短くすることができ、そのために、成形金型の離型性を向上させることができる。また、成形金型の離型性が向上するため、製品の変形を防止することができる。さらに、内壁を短くすることができる分、軽量化が可能になる。
【図面の簡単な説明】
【００１４】
【図１】本発明の第１の実施形態にかかる電気接続箱の断面斜視図である。
【図２】図１に示された電気接続箱の二重壁と部品収容部との対向箇所を示す断面図である。
【図３】図１に示されたフレーム及びブロックの斜視図である。
【図４】図３に示されたフレームのみの斜視図である。
【図５】図３に示されたブロックのみの斜視図である。
【図６】本発明の第２の実施形態にかかる電気接続箱の二重壁と部品収容部との対向箇所を示す断面図である。
【図７】従来の電気接続箱の二重壁と部品収容部との対向箇所を示す断面図である。
【発明を実施するための形態】
【００１５】
（第１の実施形態）
本発明の第１の実施形態にかかる「電気接続箱」を図１〜５を参照して説明する。
【００１６】
図１，２に示す電気接続箱１Ａは、自動車に搭載されるものであり、フレーム３と、フレーム３内に収容されるブロック６Ａと、ブロック６Ａに取り付けられるリレー、ヒューズ、バスバ、端子付き電線等の複数の部品（図１，２においてはこれら複数の部品の図示を省略している。）と、フレーム３の上端側に取り付けられるアッパカバー４と、フレーム３の下端側に取り付けられるロアカバー５と、を備えている。これらフレーム３、ブロック６Ａ、アッパカバー４及びロアカバー５は、合成樹脂で構成され、成形金型を用いた射出成形により形成されている。
【００１７】
フレーム３は、図３，４に示すように全体として枠状に形成されており、防水構造として二重壁３０を有している。二重壁３０は、外壁３１と、外壁３１との間に間隔をあけた内壁３２と、で構成されている。また、アッパカバー４も、外壁４１と内壁４２とで構成された二重壁４０を有し、同様に、ロアカバー５も、外壁５１と内壁５２とで構成された二重壁５０を有している。フレーム３にアッパカバー４及びロアカバー５が取り付けられた状態で、フレーム３の外壁３１の上端３１ａは、アッパカバー４の二重壁４０間に位置付けられ、フレーム３の外壁３１の下端３１ｂは、ロアカバー５の二重壁５０間に位置付けられる。
【００１８】
また、図２中の矢印Ａで示すように、フレーム３とアッパカバー４との合わせ部から浸入した水は、フレーム３の二重壁３０の間、すなわち外壁３１と内壁３２との間を通ってロアカバー５の図示しない排水孔から外部に排水される。
【００１９】
ブロック６Ａは、図５に示すように、上述した部品が取り付けられる複数の部品収容部６０，６２，６３を有している。また、図２に示すように、フレーム３の二重壁３０と対向する位置に配置された部品収容部６０は、上端６０ａ側すなわちアッパカバー４側の部分に複数のヒューズを収容し、下端６０ｂ側すなわちロアカバー５側の部分に複数の端子付き電線とバスバを収容する。また、前記端子付き電線は、端子部分が部品収容部６０内に収容され、電線部分が部品収容部６０外に導出される。
【００２０】
なお、本発明においては、二重壁３０がフレーム３の全周に設けられていても良く、部分的に設けられていても良い。また、本発明においては、ブロック６Ａが、フレーム３の二重壁３０と対向する位置に配置された前記部品収容部を少なくとも１つ有していれば良い。
【００２１】
さらに、上記フレーム３の二重壁３０と上記部品収容部６０との対向箇所においては、内壁３２の下端３２ｂが、対向した部品収容部６０の下端６０ｂ側の部品挿入面６１よりも上に位置付けられており、部品収容部６０の下端部かつ二重壁３０側の外縁部に防水壁７が設けられている。「部品収容部６０の下端６０ｂ側の部品挿入面６１」とは、上記端子付き電線や上記バスバを収容するキャビティが開口した面である。また、本実施形態では、内壁３２と部品収容部６０との上下方向の重なり代（図２中にＢで示す。）が５ミリであるが、本発明においては、内壁３２の下端３２ｂが、対向した部品収容部６０の少なくとも上端６０ａまで延びていれば良い。
【００２２】
上記防水壁７は、上記部品収容部６０の下端部かつ二重壁３０側の外縁部から外壁３１側に真横に延びた第１防水壁１１と、第１防水壁１１の外壁３１側の端から外壁３１と平行かつ下方に延びた第２防水壁１２と、で構成されている。
【００２３】
このような電気接続箱１Ａは、内壁３２の下端３２ｂが部品収容部６０の下端６０ｂ側の部品挿入面６１よりも上に位置付けられていても、防水壁７が設けられていることにより、外壁３１と内壁３２との間を通った水が部品収容部６０に取り付けられた部品（具体的には、ヒューズや電線の端子近傍部分）にかかることを防止できる。そして、外壁３１と内壁３２との間の空間を上下方向に短くすることができることから、当該部分すなわち二重壁３０を形成する成形金型の駒を短くすることができ、そのために、成形金型の離型性を向上させることができる。また、成形金型の離型性が向上するため、製品すなわちフレーム３の変形を防止することができる。さらに、内壁３２を短くすることができる分、軽量化が可能になる。
【００２４】
（第２の実施形態）
本発明の第２の実施形態にかかる「電気接続箱」を図６を参照して説明する。また、図６において、第１の実施形態と同一構成部分には同一符号を付して説明を省略する。
【００２５】
本実施形態の電気接続箱１Ｂは、フレーム３の二重壁３０とブロック６Ｂの部品収容部６０との対向箇所において、内壁３２の下端３２ｂが、対向した部品収容部６０の下端６０ｂ側の部品挿入面６１よりも上に位置付けられており、部品収容部６０の下端部かつ二重壁３０側の外縁部に防水壁８が設けられている。
【００２６】
上記ブロック６Ｂは、部品収容部６０の一部が部品挿入面６１より下まで延びており、上記防水壁８が、部品挿入面６１より下側の部分で構成されている。すなわち、防水壁８は、部品収容部６０の下端部かつ二重壁３０側の外縁部における部品挿入面６１から下方に真っ直ぐに延びた部分である。
【００２７】
このような電気接続箱１Ｂは、第１の実施形態の電気接続箱１Ａと同様に、内壁３２の下端３２ｂが部品収容部６０の下端６０ｂ側の部品挿入面６１よりも上に位置付けられていても、防水壁８が設けられていることにより、外壁３１と内壁３２との間を通った水（水の浸入経路を図６中に矢印Ｃで示す。）が部品収容部６０に取り付けられた部品にかかることを防止できる。
【００２８】
上述した防水壁７，８以外に、本発明の防水壁は、部品収容部６０の下端部かつ二重壁３０側の外縁部から外壁３１側に真横に延びた壁（すなわち、第１の実施形態における第１防水壁１１のみの構成）であっても良いし、外壁３１側に斜め下方向に延びた壁であっても良い。すなわち、本発明の防水壁は、二重壁３０と対向した部品収容部６０の下端部かつ二重壁３０側の外縁部に設けられ、外壁３１に近付く方向又は部品挿入面６１より下まで延びた壁であれば良い。
【００２９】
また、上記第２の実施形態の防水壁８は、部品挿入面６１から下方に真っ直ぐに延びているので高い防水性能を有するが、端子付き電線等の部品を部品収容部６０に挿入する際に障害物となって作業性に影響する。これと反対に、前述した外壁３１側に真横に延びた防水壁の場合は、部品を部品収容部６０に挿入し易いが、防水性能では第２の実施形態の防水壁８に劣る。よって、本発明においては、電気接続箱の設置場所や求められる条件などに応じて、部品を部品収容部６０に挿入する際の作業性や防水性能等を考慮しつつ、防水壁の形状を適宜決定すれば良い。
【００３０】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３１】
１Ａ，１Ｂ  電気接続箱
３  フレーム
６Ａ，６Ｂ  ブロック
７，８  防水壁
１１  第１防水壁
１２  第２防水壁
３０  二重壁
３１  外壁
３２  内壁
６０  部品収容部
６１  部品挿入面
【図１】
2014158385.tif 000003
【図２】
2014158385.tif 000004
【図３】
2014158385.tif 000005
【図４】
2014158385.tif 000006
【図５】
2014158385.tif 000007
【図６】
2014158385.tif 000008
【図７】
2014158385.tif 000009